(57)【要約】【課題】光源部が高温であるときに、光源部交換用の開口部の蓋の開口を規制し、さらにその規制を作業者が認識できるようにする。【解決手段】投射型表示装置の筐体に設けられた蓋５を開放することにより、筐体内部の光源部の交換が可能となる。ビス６は、筐体のビス止め部に対して蓋５を固定する。ビス６を取り外すためのドライバＤの使用を規制する固定解除規制部材１１が設けられ、この固定解除規制部材１１は感熱動作部材１３によって温度に反応して変位する。図３の位置では、感熱動作部材１３が光源部の高温に反応して伸張し、ドライバＤを導入する穴ｈを塞いで、作業者によるビス６の取り外しを阻止する。光源部の温度が低くなると、感熱動作部材１３が変位して穴ｈに対するドライバＤの導入を許可する。また固定解除規制部材１１には、光源部を交換できないことを警告する警告表示１４を設け、高温時に作業者が視認できるようにする。【選択図】図３
2005031518.tif 000002
【特許請求の範囲】
【請求項１】
画像を投射するための光を発する光源部を備えた投射型表示装置であって、該投射型表示装置は、前記光源部を収納し、該光源部を交換するための開口部を備える筐体と、該開口部を開閉可能に設けられた蓋と、該蓋を前記筐体に固定する固定手段と、前記光源部の温度が交換可能な温度に下がるまで、前記蓋の固定手段の固定解除操作を規制する固定解除規制手段とを有することを特徴とする投射型表示装置。
【請求項２】
前記固定解除規制手段は、前記光源部の温度に応じて固定解除規制位置と固定解除許可位置とのいずれかに変位する固定解除規制部材を有し、該固定解除規制部材が前記固定解除規制位置にあるときに、前記固定手段を解除するための操作を阻止し、前記固定解除規制部材が前記固定解除許可位置にあるときに、前記固定手段を解除するための操作を阻止することなく許可することを特徴とする投射型表示装置。
【請求項３】
前記固定解除規制部材は、前記光源部の温度変化に応じて変位する感熱動作部材が接続され、該感熱動作部材は、該感熱動作部材の材料特性に従って、所定の温度レベルより高い温度では、前記固定解除規制部材が前記固定解除規制位置をとる位置に変位し、前記所定の温度レベルより低い温度では前記固定解除規制部材が前記固定解除許可位置をとる位置に変位することを特徴とする請求項２に記載の投射型表示装置。
【請求項４】
前記感熱動作部材は、異なる熱膨張係数の金属が積層されたバイメタルまたは、温度によって変形する形状記憶合金であることを特徴とする請求項３に記載の投射型表示装置。
【請求項５】
前記固定解除規制手段は、前記光源部を交換できないことを警告する警告表示を有することを特徴とする請求項１ないし４のいずれか１に記載の投射型表示装置。
【請求項６】
前記警告表示は、前記固定解除規制部材の変位動作に従って、該固定解除規制部材が前記固定解除規制位置にあるときに、視認可能となることを特徴とする請求項２ないし５のいずれか１に記載の投射型表示装置。
【請求項７】
前記警告表示は、前記光源部の温度が高く危険であることを表示する温度状態の警告表示であることを特徴とする請求項６に記載の投射型表示装置。
【発明の詳細な説明】
【技術分野】
【０００１】
本発明は、投射型表示装置に関し、特に光源部の交換時に使用する開口部とその開口部を開閉する蓋とを備えた投射型表示装置に関するものである。
【背景技術】
【０００２】
液晶プロジェクタ等の投射型表示装置は、光源部からの光を画像情報に基づいて変調し、光学系を通じてスクリーンに投射するものである。図８は、液晶プロジェクタの概略構成の一例を示す図で、液晶プロジェクタの内部の光源部を取り出した状態の部分分解図を示すものである。図８において、１は液晶プロジェクタ、２は筐体、３は光源部、４は光源部交換用の開口部、５は蓋である。図８に示すように、従来の液晶プロジェクタ１の筐体２には、光源部交換用の開口部４が設けられ、その内部に交換可能な光源部３が配置される。開口部４は、蓋５にて閉じられて使用される。
【０００３】
液晶プロジェクタ１の光源部３として、一般的に超高圧水銀ランプ、ハロゲンランプ等の放電ランプが用いられる。この種の光源は、点灯不能となったとき、あるいは使用時間の経過とともに徐々に輝度が低下したときに、交換が必要となる。光源部３は、通常、液晶プロジェクタ１の筐体２が有する光源部交換用の開口部４の蓋５を開けないと、外部から接触できないように配設されている。
【０００４】
光源部３は、点灯中は発熱して高温になっている。そのため、光源部３を交換する際には、作業者は、光源部３を消灯した後にその温度が下がるまで待たねばならない。光源部３の温度が下がる前に開口部４の蓋５を開くと、作業者は火傷する恐れがある。このため、光源部３の温度が高温のときは、開口部４の蓋５が不用意に開かないように、蓋５の開口動作を規制し、作業者が高温の光源部３に触れることを防いでいる。
【０００５】
図９及び図１０は、図８における蓋５の設置部周辺の構成を示す要部概略図で、図中、３１は開口規制部材、３２はばね部材、３３は感熱動作部材、５ａは蓋５に設けられた溝部で、その他、図８と同一の要素には図８と同じ符号が付してある。
【０００６】
光源部３が高温であるときに、蓋５の不用意な開放動作を規制するために、筐体２の内側に揺動可能に取り付けられた開口規制部材３１を設けるとともに、さらに蓋５の内側に上記開口規制部材３１の先端部が係止する溝部５ａを設ける。図９は、開口規制部材３１と蓋５の溝部５ａとの係止が解除され、蓋５の解放を自由に行うことができる状態を示し、図１０は、開口規制部材３１と蓋５の溝部５ａが係止し、蓋５の解放ができないように規制された状態を示している。
【０００７】
上記の例において、開口規制部材３１は筐体２に揺動可能に設置され、さらに開口規制部材３１を蓋５に近接させる方向に付勢するばね部材３２と、温度に応じて変位する感熱動作部材３３とが設けられている。感熱動作部材３３は、所定の温度レベルに反応して変位動作するもので、温度が所定レベルより低い環境では、図９のように開口規制部材３１を蓋５から離間させる方向に変位し、上記特定レベルより高い温度では、図１０のように開口規制部材３１を蓋５に近接させる方向に変位する。感熱動作部材３３の変位温度は、その素材や構成によって所定の温度レベルによって変位するように構成される。
【０００８】
上記の構成により、光源部３の点灯により温度が高く、光源部３の交換作業が危険である温度レベルでは、蓋５の溝部５ａと開口規制部材３１の先端部が係止して、蓋５を外部から開放することができず、光源部３を消灯した後温度が下がって安全な温度レベルになると、蓋５の溝部５ａと開口規制部材３１との係止状態が解除され、外部から蓋５を開放することができるようになる。
【０００９】
上記のような開口部４の蓋５の開口を規制する例としては、例えば、特許文献１，及び特許文献２に記載されたものがある。
【特許文献１】特開平９−２３０４９８号公報
【特許文献２】特開２００２−３３３６６８号公報
【発明の開示】
【発明が解決しようとする課題】
【００１０】
上記のような光源部３の交換は、光源部３の点灯時間が数百から数千時間経過した後に行うものであり、投射型表示装置の操作としての頻度は稀であるため、使用者にとって不慣れな作業であることが多い。また、光源部３が高温であるために、開口部４の蓋５の開口動作が規制されていても、作業者がそれを知らずに蓋を無理に開こうとし、力を加えることによって、開口規制のための部材を破壊しかねない。
【００１１】
本発明は、上述のごとき実情に鑑みてなされたもので、投射型表示装置の筐体内に内蔵された光源部が高温であるときに、光源部交換用の開口部の蓋の開口を規制し、さらにその規制されていることを作業者が容易に認識することができ、光源部交換に不慣れな作業者が無理に蓋を開くことを防ぐことにより、安全性の高い投影型表示装置を提供することを目的とするものである。
【課題を解決するための手段】
【００１２】
第１の技術手段は、画像を投射するための光を発する光源部を備えた投射型表示装置であって、投射型表示装置は、光源部を収納し、光源部を交換するための開口部を備える筐体と、開口部を開閉可能に設けられた蓋と、蓋を筐体に固定する固定手段と、光源部の温度が交換可能な温度に下がるまで、蓋の固定手段の固定解除操作を規制する固定解除規制手段とを有することを特徴としたものである。
【００１３】
第２の技術手段は、固定解除規制手段は、光源部の温度に応じて固定解除規制位置と固定解除許可位置とのいずれかに変位する固定解除規制部材を有し、固定解除規制部材が固定解除規制位置にあるときに、固定手段を解除するための操作を阻止し、固定解除規制部材が固定解除許可位置にあるときに、固定手段を解除するための操作を阻止することなく許可することを特徴としたものである。
【００１４】
第３の技術手段は、第２の技術手段において、固定解除規制部材は、光源部の温度変化に応じて変位する感熱動作部材が接続され、感熱動作部材は、感熱動作部材の材料特性に従って、所定の温度レベルより高い温度では、固定解除規制部材が固定解除規制位置をとる位置に変位し、所定の温度レベルより低い温度では固定解除規制部材が固定解除許可位置をとる位置に変位することを特徴としたものである。
【００１５】
第４の技術手段は、第３の技術手段において、感熱動作部材は、異なる熱膨張係数の金属が積層されたバイメタルまたは、温度によって変形する形状記憶合金であることを特徴としたものである。
【００１６】
第５の技術手段は、第１ないし第４のいずれか１の技術手段において、固定解除規制手段は、光源部を交換できないことを警告する警告表示を有することを特徴としたものである。
【００１７】
第６の技術手段は、第２ないし第５のいずれか１の技術手段において、警告表示は、固定解除規制部材の変位動作に従って、固定解除規制部材が固定解除規制位置にあるときに、視認可能となることを特徴としたものである。
【００１８】
第７の技術手段は、第６の技術手段において、警告表示は、光源部の温度が高く危険であることを表示する温度状態の警告表示であることを特徴としたものである。
【発明の効果】
【００１９】
本発明によれば、画像を投射するための光を発する光源部を備えた投射型表示装置において、光源部の温度が交換可能な温度に下がるまで、蓋の固定手段の固定解除操作を規制する固定解除規制手段を有し、さらに上記固定解除規制手段に、光源部を交換できないことを警告する警告表示を設けることにより、高温となった光源部に使用者が触れることを確実に回避することができる。
【００２０】
また、光源部の温度が交換可能になると、蓋の固定手段を解除することができるようになり、このときに上記の警告表示が作業者から認知できなくなることにより、光源部が交換可能な温度まで冷却されたことを作業者が確実に認知することができ、必要以上の時間待機することなく光源部の交換を行うことができるようになる。
【発明を実施するための最良の形態】
【００２１】
図１は、本発明の投射型表示装置の概略構成の一例を示す図で、投射型表示装置の内部の光源部を取り出した状態の部分分解図を示すものである。投射型表示装置である液晶プロジェクタ１は、筐体２に光源部３が収納され、筐体２に設けられた開口部４によって光源部３を交換することができる。光源部３は、例えば、超高圧水銀ランプやハロゲンランプ等の放電ランプが保持部材に保持されてなる。また、開口部４は蓋５で覆われており、蓋５を開けない限り外部から光源部３に直接触れることができない構造になっている。また、筐体２と蓋５は、ビス６により固定されている。ビス６は、筐体２に蓋５を固定する固定手段の一形態であり、ビス６以外にも各種の固定手段を適宜適用することができる。
【００２２】
図２及び図３は、図１に示す実施例における蓋５の開閉を規制するための構成例を説明するための要部概略構成図である。ビス６は、図示しない筐体のビス止め部に対して蓋５を固定する。ここでは、蓋５にビス固定用の穴ｈが設けられ、その穴ｈの底部にてビス６と筐体との固定が行われる。作業者は、ビス６を取り外すことによって、筐体２の開口部４を覆う蓋５を外すことができ、開口部４を通して光源部３を交換することができる。ビス６の取り付け及び取り外しを行うための治具として、作業者はドライバＤを使用する。
【００２３】
図２及び図３に示す実施形態では、固定手段としてのビス６に対して、ビス６を取り外す、すなわち固定手段による蓋５の固定を解除する固定解除操作を規制する固定解除規制手段を備えている。すなわち、本実施形態では、ビス６に対する固定解除操作はドライバＤによって実行されるが、このドライバＤの使用を規制するための固定解除規制部材１１が設けられ、固定解除規制部材１１が固定解除規制位置と固定解除許可位置とをとることによって、ドライバＤの使用を規制したり、許可したりすることができる。
【００２４】
固定解除規制部材１１は、蓋５のドライバＤを導入する部分に揺動可能に設けられている。固定解除規制部材１１を蓋５に揺動可能に支持する支持部Ｓに対して、固定解除規制部材１１の一方の側には、感熱動作部材１３が取り付けられ、該感熱動作部材１３が固定解除規制部材１１と蓋５の穴ｈを構成する壁部とを接続している。感熱動作部材１３は、異なる熱膨張係数の金属が積層されたバイメタルまたは、温度によって変形する形状記憶合金であって、温度に反応してその形状を変化させる。
【００２５】
感熱動作部材１３は、温度が所定レベルより低い通常の場合には、図２に示すように、固定解除規制部材１１と蓋５との間で形状を維持する。そしてこのとき、上記支持部を介して反対側の固定解除規制部材１１が、ドライバＤの導入経路を邪魔しない位置となるように構成されている。すなわち、所定レベルよりも低温においては、固定解除規制部材１１は、ドライバＤによるビス６の取り外しを許可する固定解除操作許可位置をとる。
【００２６】
感熱動作部材１３の環境温度が所定レベル以上に上昇すると、図３に示すように、感熱動作部材１３の形状が変化して伸張し、感熱動作部材１３の取付部において固定解除規制部材１１と蓋５との距離を離間せしめる。このときに、支持部Ｓを介して反対側の固定解除規制部材１１は、ドライバＤの導入路を塞ぐ。こうして、所定レベル以上の高温においては、固定解除規制部材１１は、ドライバＤによるビス６の取り外しを規制する固定解除規制位置をとることができる。
【００２７】
また固定解除規制部材１１には、上記の固定解除規制位置から固定解除許可位置に変位する方向に該固定解除規制部材１１を付勢するばね部材１２が設けられていて、図３の状態から、温度の低下に伴う固定解除規制部材１１の固定解除許可位置への揺動動作を確実に実行できるようにしている。
【００２８】
また、固定解除規制部材１１には、作業者に対して光源部３が高温であることと、固定解除規制手段が動作していることを認知せしめるための警告表示１４が設けられている。警告表示１４は、固定解除規制部材１１が図３に示すような固定解除操作規制位置にあるときに、作業者から視認できるような位置に設けられている。また、固定解除規制部材１１が動作して、固定解除操作許可位置に変位したときには、上記の警告表示１４は、作業者から視認できなくなる。
【００２９】
図６は、上記の警告表示１４の一例を示す図である。図６に示すような、「ランプ高温注意！」の表示を行うことにより、作業者は光源部３が高温で危険であることを認知することができ、また無理に蓋５を開けようとすることもなくなる。
【００３０】
図７は、ビス６が取り付けられた穴ｈを蓋５の外から覗いたときに、作業者が視認できる状態を示す図である。固定解除規制部材１１が上記の固定解除操作許可位置にあるときには、作業者は、図７（Ａ）に示すように、ビス６の頭部を視認することができる。これによって、作業者はドライバＤを挿入して、ビス６を取り外すことができる。
【００３１】
一方、固定解除規制部材１１が上記の固定解除操作規制位置にあるときには、作業者は、図７（Ｂ）に示すように、上述したごとくの警告表示１４が視認できる。
【００３２】
図４及び図５は、図１に示す実施例における蓋５の開閉を規制するための他の構成例を説明するための要部概略図である。図２及び図３の構成と同様に、ビス６は、図示しない筐体のビス止め部に対して蓋５を固定する。ここでは、蓋５にビス固定用の穴ｈが設けられ、その穴ｈの底部にてビス６と筐体との固定が行われる。また作業者は、ビス６を取り外すことによって、筐体２の開口部４を覆う蓋５を外すことができ、開口部４を通して光源部３を交換することができる。ビス６の取り付け及び取り外しを行うための治具として、作業者はドライバＤを使用する。
【００３３】
図４及び図５に示す実施形態においても、固定手段としてのビス６に対して、ビス６を取り外す、すなわち固定手段による蓋の固定を解除する固定解除操作を規制する固定解除規制手段を備えている。ビス６に対する固定解除操作はドライバＤによって実行されるが、このドライバＤの使用を規制するための固定解除規制部材２１が設けられ、固定解除規制部材２１が固定解除規制位置と固定解除許可位置とをとることによって、ドライバＤの使用を規制したり、許可したりすることができる。
【００３４】
固定解除規制部材２１は、蓋５のドライバＤを導入する穴ｈに対して往復動作が可能に設けられている。固定解除規制部材２１には、感熱動作部材２３が取り付けられ、該感熱動作部材２３が固定解除規制部材２１と蓋５の穴ｈを構成する壁部とを接続している。感熱動作部材２３は、異なる熱膨張係数の金属が積層されたバイメタルまたは、温度によって変形する形状記憶合金であって、温度に反応してその形状を変化させる。
【００３５】
感熱動作部材２３は、温度が所定レベルより低い通常の場合には、図４に示すように、固定解除規制部材２１と蓋５との間で形状を維持する。そしてこのとき、固定解除規制部材２１は、ドライバＤの導入経路を邪魔しない位置となるように構成されている。すなわち、所定レベルよりも低温においては、固定解除規制部材２１は、ドライバＤによるビス６の取り外しを許可する固定解除操作許可位置をとる。
【００３６】
感熱動作部材２３の環境温度が所定レベル以上に上昇すると、図５に示すように、感熱動作部材２３の形状が変化し、固定解除規制部材２１が、ドライバＤの導入路を塞ぐように変位する。こうして、所定レベル以上の高温においては、固定解除規制部材２１は、ドライバＤによるビス６の取り外しを規制する固定解除規制位置をとることができる。
【００３７】
また固定解除規制部材２１には、上記の固定解除規制位置から固定解除許可位置に変位する方向に該固定解除規制部材２１を付勢するばね部材２２ａ，２２ｂが設けられていて、図４の状態から、温度の低下に伴う固定解除規制部材２１の固定解除許可位置への変位動作を確実に実行できるようにしている。
【００３８】
また、本実施形態においても、図２及び図３に示す実施形態と同様に、固定解除規制部材２１に、作業者に対して光源部３が高温であることと、固定解除規制手段が動作していることを認知せしめるための警告表示１４が設けられている。警告表示１４は、図６に示すようなもので、固定解除規制部材２１が図５に示すような固定解除操作規制位置にあるときに、作業者から視認できるような位置に設けられている。また、固定解除規制部材２１が動作して、固定解除操作許可位置に変位したときには、上記の警告表示１４は、作業者から視認できなくなる。
【００３９】
また固定解除規制部材２１が上記の固定解除操作許可位置にあるときには、作業者は、図７（Ａ）に示すように、ビス６の頭部を視認することができる。これによって、作業者はドライバＤを挿入して、ビス６を取り外すことができる。一方、固定解除規制部材２１が上記の固定解除操作規制位置にあるときには、作業者は、図７（Ｂ）に示すように、上述したごとくの警告表示１４が視認できる。
【図面の簡単な説明】
【００４０】
【図１】本発明の投射型表示装置の概略構成の一例を示す図である。
【図２】図１に示す実施例における蓋の開閉を規制するための構成例を説明するための要部概略構成図である。
【図３】図１に示す実施例における蓋の開閉を規制するための構成例を説明するための要部概略構成図である。
【図４】図１に示す実施例における蓋の開閉を規制するための他の構成例を説明するための要部概略図である。
【図５】図１に示す実施例における蓋の開閉を規制するための他の構成例を説明するための要部概略図である。
【図６】警告表示の一例を示す図である。
【図７】ビスが取り付けられた穴を蓋の外から除いたときに、作業者が視認できる状態を示す図である。
【図８】従来の液晶プロジェクタの概略構成の一例を示す図である。
【図９】図８における蓋の設置部周辺の構成を示す要部概略図である。
【図１０】図８における蓋の設置部周辺の構成を示す要部概略図である。
【符号の説明】
【００４１】
１…液晶プロジェクタ、２…筐体、３…光源部、４…開口部、５…蓋、６…ビス、１１…固定解除規制部材、１２…ばね部材、１３…感熱動作部材、１４…警告表示、２１…固定解除規制部材，２２ａ，２２ｂ…ばね部材、２３…感熱動作部材、３１…開口規制部材、３２…ばね部材、３３…感熱動作部材、５ａ…溝部、Ｄ…ドライバ、ｈ…穴、ｓ…支持部。
【図１】
2005031518.tif 000003
【図２】
2005031518.tif 000004
【図３】
2005031518.tif 000005
【図４】
2005031518.tif 000006
【図５】
2005031518.tif 000007
【図６】
2005031518.tif 000008
【図７】
2005031518.tif 000009
【図８】
2005031518.tif 000010
【図９】
2005031518.tif 000011
【図１０】
2005031518.tif 000012